(57)【要約】【課題】一覧性の高い番組表を表示することができ、ユーザにとっての取り扱いを便利にするようにした番組表表示装置および番組表表示方法を提供すること。【解決手段】放送事業者ごとに代表チャンネルを決定する。代表チャンネルは例えば番号が最小のチャンネルとして定義する。このように一つの代表チャンネルを決めることにより、ＥＰＧ表示画面において、放送事業者ごとに一つのチャンネル表示領域を割り当てるようにすることができる。従ってより多くの放送事業者の表示エリアを確保でき、数多くの事業者を表示して一覧性の高い番組表を表示することが可能になる。さらに、隠されたチャンネルが有ることをマーカによりユーザに示すようにすることで、ユーザインタフェースを向上させることができる。【選択図】      図６
2006094409.tif 000002
【特許請求の範囲】
【請求項１】
取得した番組情報に基づいて作成した電子番組表から、特定された日時に対応する部分を画面表示させる番組表表示装置であって、
前記特定された日時に対応する部分の番組表を複数の放送事業者ごとに全てのチャンネルにわたり表示する全表示モードと、前記特定された日時に対応する部分の番組表を複数の放送事業者ごとに１つのチャンネルずつ表示する１チャンネル表示モードとのいずれかの表示モードを決定するためのモード決定手段と、
前記１チャンネル表示モードの場合に、表示すべき代表チャンネルを決定する代表チャンネル決定手段と、
前記１チャンネル表示モードの場合に、前記代表チャンネル以外のチャンネルの存在を示すマーカを表示するマーカ表示手段と、
前記マーカに対応するカーソル操作により前記番組表内に表示されるチャンネルを選択的に切り替える表示チャンネル切替手段とを具備することを特徴とする番組表表示装置。
【請求項２】
さらに、前記代表チャンネルを前記複数の放送事業者ごとに予め指定するための代表チャンネル指定手段を具備し、
前記代表チャンネル決定手段は、前記代表チャンネル指定手段により指定されたチャンネルを前記代表チャンネルとすることを特徴とする請求項１に記載の番組表表示装置。
【請求項３】
前記代表チャンネル決定手段は、前記表示チャンネル切替手段により最後に選択されたチャンネルを前記代表チャンネルとすることを特徴とする請求項１に記載の番組表表示装置。
【請求項４】
前記代表チャンネル決定手段は、前記複数の放送事業者ごとにチャンネル番号が最小のチャンネルを前記代表チャンネルとすることを特徴とする請求項１に記載の番組表表示装置。
【請求項５】
前記代表チャンネル決定手段は、前記チャンネル番号が最小のチャンネルの視聴権をユーザが持たない場合には、チャンネル番号をスキップして次にチャンネル番号の小さいチャンネルを前記代表チャンネルとすることを特徴とする請求項４に記載の番組表表示装置。
【請求項６】
前記全表示モードと１チャンネル表示モードとのいずれかの表示モードが放送事業者ごとにそれぞれ対応付けられている場合に、
前記モード決定手段は、前記表示モードを放送事業者ごとに個別に決定することを特徴とする請求項１に記載の番組表表示装置。
【請求項７】
前記全表示モードと１チャンネル表示モードとのいずれかの表示モードが前記放送事業者の提供する放送媒体ごとにそれぞれ対応付けられている場合に、
前記モード決定手段は、前記表示モードを前記放送媒体ごとに個別に決定することを特徴とする請求項１に記載の番組表表示装置。
【請求項８】
取得した番組情報に基づいて作成した電子番組表から、特定された日時に対応する部分を画面表示させる番組表表示方法であって、
前記特定された日時に対応する部分の番組表を複数の放送事業者ごとに全てのチャンネルにわたり表示する全表示モードと、前記特定された日時に対応する部分の番組表を複数の放送事業者ごとに１つのチャンネルずつ表示する１チャンネル表示モードとのいずれかのモードを決定するモード決定ステップと、
前記１チャンネル表示モードが決定された場合に、表示すべき代表チャンネルを決定する代表チャンネル決定ステップと、
前記１チャンネル表示モードが決定された場合に、前記代表チャンネル以外のチャンネルの存在を示すマーカを表示するマーカ表示ステップと、
前記マーカに対応するカーソル操作により前記番組表内に表示されるチャンネルを選択的に切り替える表示チャンネル切替ステップとを具備することを特徴とする番組表表示方法。
【発明の詳細な説明】
【技術分野】
【０００１】
この発明は、例えばデジタルテレビジョン放送受信装置等に使用して好適する番組表表示装置および番組表表示方法に関する。
【背景技術】
【０００２】
周知のように、近年では、テレビジョン放送のデジタル化が推進されている。例えば、日本国内においては、ＢＳ（Broadcasting Satellite）デジタル放送および１１０度ＣＳ（Communication Satellite）デジタル放送等の衛星デジタル放送だけでなく、地上デジタル放送も開始されている。
【０００３】
このようなデジタルテレビジョン放送を受信するデジタル放送受信装置にあっては、放送信号から取得したＥＰＧ（Electronic Program Guide）情報に基づいて電子番組表を作成し、画面に映像表示している。そして、ユーザは、映像表示された電子番組表から所望の番組を選択して、視聴や録画予約等を行なうことができる。
【０００４】
ところでＥＰＧ情報には、放送される多数のチャンネルのそれぞれに対して約１週間分もの電子番組表を作成可能な情報が含まれている。デジタル放送受信装置の画面サイズは限られており、全ての電子番組表を同時に表示させることはできないので、電子番組表を部分的に切り換えながら画面表示させることになる。そこで、限られた画面内に如何に多くの情報を効率良く表示するかということ、すなわち一覧性を高めることが重要となる。
【０００５】
特許文献１には、複数のチャンネルを用いて１つの番組が放送され、その１つの番組を放送する複数のチャンネルの全てにてその１つの番組の番組情報が伝送される場合に視認性の良い番組表を表示するデジタル放送受信機が開示される。  
特許文献２には、現在選択しているＳＤＴＶ番組選択チャンネルに対応するトランスポートストリームによって提供されている全てのＳＤＴＶ番組に関する情報をユーザに知らせることができるデジタル放送受信機が開示される。
【特許文献１】特開２００１−１４５０４３号公報
【特許文献２】特開２００１−１１１９０７号公報
【発明の開示】
【発明が解決しようとする課題】
【０００６】
この発明は上記事情を考慮してなされたもので、その目的は、一覧性の高い番組表を表示することができ、ユーザにとっての取り扱いを便利にするようにした番組表表示装置および番組表表示方法を提供することにある。
【課題を解決するための手段】
【０００７】
上記目的を達成するために本発明の一態様によれば、取得した番組情報に基づいて作成した電子番組表から、特定された日時に対応する部分を画面表示させる番組表表示装置であって、前記特定された日時に対応する部分の番組表を複数の放送事業者ごとに全てのチャンネルにわたり表示する全表示モードと、前記特定された日時に対応する部分の番組表を複数の放送事業者ごとに１つのチャンネルずつ表示する１チャンネル表示モードとのいずれかのモードを決定するためのモード決定手段と、前記１チャンネル表示モードの場合に、表示すべき代表チャンネルを決定する代表チャンネル決定手段と、前記１チャンネル表示モードの場合に、前記代表チャンネル以外のチャンネルの存在を示すマーカを表示するマーカ表示手段と、前記マーカに対応するカーソル操作により前記番組表内に表示されるチャンネルを選択的に切り替える表示チャンネル切替手段とを具備することを特徴とする番組表表示装置が提供される。
【０００８】
このような手段を講じることにより、通常の表示態様をなす全表示モードのほかに、１チャンネル表示モードをユーザは選択指定することができる。１チャンネル表示モードにおいては、各放送事業者ごとに１つのチャンネルしか表示されない。従って限られた画面領域を有効に利用でき、一覧性の高い表示を行うことが可能になる。
【０００９】
その際、複数のチャンネルを持つ放送事業者がある場合には、どのチャンネルを表示するかを決める必要がある。本発明ではチャンネル番号が最も小さい番号のチャンネルを、初期状態において表示するようにする。逆に、チャンネル番号が最大のチャンネルを表示しても良い。  
また画面内において、１つのチャンネルのほかに他のチャンネルが隠れていることをユーザに知らせる必要がある。そこで本発明では、多チャンネルの存在を示すマーカを表示するようにしている。
【発明の効果】
【００１０】
本発明によれば、一覧性の高い番組表を表示することができ、ユーザにとっての取り扱いを便利にするようにした番組表表示装置および番組表表示方法を提供することができる。
【発明を実施するための最良の形態】
【００１１】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１２】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等でなる平面パネル型の映像表示器１４、スピーカ１５、操作部１６、リモートコントローラ１７から送信される操作情報を受ける受光部１８等が設置されている。
【００１３】
また、このデジタルテレビジョン放送受信装置１１には、例えばＳＤ（Secure Digital）メモリカード、ＭＭＣ（Multimedia Card）およびメモリスティック等の第１のメモリカード１９が着脱可能となっており、この第１のメモリカード１９に対して番組や写真等の情報の記録再生が行なわれるようになっている。
【００１４】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１５】
また、このデジタルテレビジョン放送受信装置１１は、第１のＬＡＮ（Local Area Network）端子２１、第２のＬＡＮ端子２２、ＵＳＢ（Universal Serial Bus）端子２３およびｉ．Link端子２４を備えている。
【００１６】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００１７】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００１８】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００１９】
なお、ＤＶＤレコーダ２９については、第２のＬＡＮ端子２２を介して通信されるデジタル情報が制御系のみの情報であるため、デジタルテレビジョン放送受信装置１１との間でアナログの映像および音声情報を伝送するために、専用のアナログ伝送路３０を設ける必要がある。
【００２０】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２１】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２２】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２３】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２４】
そして、このチューナ４５で選局された放送信号は、ＰＳＫ（Phase Shift Keying）復調器４６に供給されて、デジタルの映像信号および音声信号に復調された後、信号処理部４７に出力される。
【００２５】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２６】
そして、このチューナ５０で選局された放送信号は、ＯＦＤＭ（Orthogonal Frequency Division Multiplexing）復調器５１に供給されて、デジタルの映像信号および音声信号に復調された後、上記信号処理部４７に出力される。
【００２７】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号および音声信号に復調された後、上記信号処理部４７に出力される。
【００２８】
ここで、上記信号処理部４７は、ＰＳＫ復調器４６およびＯＦＤＭ復調器５１からそれぞれ供給されたデジタルの映像信号および音声信号に対して、選択的に所定のデジタル信号処理を施し、グラフィック処理部５４および音声処理部５５に出力している。
【００２９】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号および音声信号を、デジタルテレビジョン放送受信装置１１の外部から入力可能とするものである。
【００３０】
そして、この信号処理部４７は、上記アナログ復調器５３および各入力端子５６ａ〜５６ｄからそれぞれ供給されたアナログの映像信号および音声信号を選択的にデジタル化し、そのデジタル化された映像信号および音声信号に対して所定のデジタル信号処理を施した後、グラフィック処理部５４および音声処理部５５に出力している。
【００３１】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３２】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３３】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３４】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３５】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報および制御情報等が格納される不揮発性メモリ６４とを利用している。
【００３６】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００３７】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００３８】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００３９】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４０】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４１】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４２】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４３】
図４は、本実施の形態におけるデジタルテレビジョン放送受信装置が電子番組表を表示する動作を説明するために示すフローチャートである。この動作はユーザがリモートコントローラ１７の番組表キー１７ｈやカラーキー１７ｍを操作することにより開始され、ＥＰＧ処理が起動される（ステップＳ１）。このステップでは、放送信号やネットワーク等を介して番組情報であるＥＰＧ情報が取得される。
【００４４】
次に制御部６１は、ユーザにより予め選択された放送メディアを決定する（ステップＳ２）。このステップでは、テレビジョン方法、ラジオ放送、およびデータ放送などの放送媒体が決定される。次に制御部６１は、ＥＰＧ画面表示のモードを判定する（ステップＳ３）。全チャンネル表示モードが判定されると、通常のとおり、全てのチャンネルについての番組表が表示される（ステップＳ４）。
【００４５】
本実施形態ではこの全チャンネル表示モードに加え、代表チャンネル表示モードを新たに導入する。このモードは、各放送事業者につきただ一つのチャンネル分の番組表を表示することで、画面内に表示可能な事業者の数を多くするモードである。チャンネル提供数が１である事業者に関しては、表示態様は通常と同じである。これに対して、複数のチャンネルで異なる番組を提供する事業者の場合には、そのうち一つのチャンネルの番組表が選択的に表示される。なお複数のチャンネルで異なる番組を提供する事業者、とは、例えば地上波ディジタル放送に加えて標準テレビ放送の放送枠を持つ事業者などである。
【００４６】
さて、ステップＳ３で代表チャンネル表示モードが判定されると、各事業者ごとに代表チャンネルが検出される（ステップＳ６）。代表チャンネルとは各事業者を便宜的に代表する１つのチャンネルであり、例えばリモートコントローラ１７を用いたユーザの初期設定により、事業者ごとに予め指定される。または代表チャンネルは、前回に表示されたチャンネルや日時等のラスト条件に基づいて決定される。特に、チャンネル番号が最小または最大のチャンネルを代表チャンネルにすると簡便である。さらに、このようにして決定されたチャンネルの視聴権をユーザが持たない（すなわち未契約チャンネル）場合には、そのチャンネルをスキップして、隣のチャンネルを代表チャンネルとすれば良い。そしてステップＳ５〜ステップＳ７のループを経て全ての事業者につき代表チャンネルが決定されれば、その結果を反映するＥＰＧ表示が実施される（ステップＳ８）。
【００４７】
図５は、全チャンネル表示モードにおける表示画面を示す図である。この電子番組表は水平方向に６つのチャンネル領域を配列し、垂直方向に５時間分の時間枠を配列して、番組を表示している。例えば或る放送局が３つのチャンネル枠を提供しているとするとチャンネル領域のうち３つが消費されるために、表示できる放送局名称は４つとなる。
【００４８】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、１画面分の電子番組表を上下左右方向に選択的にスキップさせることが可能である。さらに、日時指定切換機能を用いることにより、指定した日時を含む番組表の部分にジャンプして、その番組表の表示に切り換えられるようになる。
【００４９】
ここで、この電子番組表は、６つのチャンネルに対応した表示欄Ａ〜Ｆを有し、各表示欄Ａ〜Ｆが、それぞれ、チャンネル番号表示領域Ａ１〜Ｆ１と、放送局名表示領域Ａ２〜Ｆ２と、番組表示領域Ａ３〜Ｆ３とから構成されている。
【００５０】
この場合、例えば、表示欄Ｄ〜Ｆに示すように、同じ放送局が複数（図示の場合は３つ）のチャンネル番号を有する場合には、３つの放送局名表示領域Ｄ２〜Ｆ２が１つの共通の放送局名表示領域として使用される。
【００５１】
また、同じ放送局が複数（図示の場合は３つ）のチャンネル番号でそれぞれ同じ番組を放送する、いわゆるイベント共有が行なわれている時間帯では、３つの番組表示領域Ｄ３〜Ｆ３が１つの共通の番組表示領域として使用される。
【００５２】
さらに、この電子番組表では、その６つの表示欄Ａ〜Ｆの下部に、リモートコントローラ１７のカーソルキー１７ｆによって選択している番組のチャンネル番号、タイトル及び放送時間等を示す選択番組表示領域Ｇが設けられる。この場合、選択されている番組「Ｊ２」は、表示欄Ａ〜Ｆ内において、その番組の表示領域が他の番組の表示領域と色を変えて表示されるが、図５では、ハッチングで囲むことにより表現している。
【００５３】
また、この電子番組表では、その左右に、上から下に向けて１時間毎の時間枠を示す５つの時間領域Ｎ１〜Ｎ５が設けられている。図５では、各時間領域Ｎ１〜Ｎ５が、それぞれ午前９時〜午後１時に対応している状態を示している。そして、現在時刻が午前１０時になると、各時間領域Ｎ１〜Ｎ５が、それぞれ午前１０時〜午後２時に対応するように切り換えられる。このような電子番組表の表示状態で、制御部６１は例えばリモートコントローラ１７の赤色のカラーキー１７ｍが操作されたことを検知すると、次に示す代表チャンネル表示画面を映像表示器１４に表示させる。
【００５４】
図６は、代表チャンネル表示モードにおける表示画面を示す図である。この画面においては、６つの表示欄Ａ〜Ｆのそれぞれに、１つの放送局名称が表示される。これは、図５の番号（５）の放送局の表示領域が圧縮されたことによる。番組Ｋ１〜Ｋ４が表示されるチャンネルが、すなわち番号（５）の放送局の代表チャンネルである。午後４時から６時半までの時間帯においては当該チャンネルにおいてはイベント共有が行われているため、表示領域を縮めても特に不都合はない。
【００５５】
これに対しそれ以降の時間帯においては、図５からも分かるようにチャンネルごとに異なる放送内容となっている。そこで本実施形態では、代表チャンネル以外のチャンネルの存在を示すために、マーカを表示するようにする。図６においてはハッチングで示す棒状の印を用いる。１本の棒は表示が圧縮されたことを模式的に示すもので、その数は他のチャンネルの数を示す。図６においては２本のマーカにより２つのチャンネルが隠されていることが示される。
【００５６】
図７は、ユーザのリモートコントローラ１７の操作による画面の遷移を示す模式図である。初期状態においては、放送局（５）においてはチャンネル番号１５１の代表チャンネルが表示される。この表示領域の右端に２本のマーカが表示されることで、ユーザは、これより番号の大きい２つのチャンネルが隠されていることを読み取れる。この状態からリモートコントローラ１７のカーソルキー１７ｆの［＞］キーが押下されると、画面表示がカーソル移動されてチャンネル番号１５２の番組表示に切り替わる。このとき小さいチャンネル番号（１５１）は圧縮されてマーカになる。この状態ではマーカは左右に１本ずつ表示される。さらに［＞］キーが押下されると、チャンネル番号はもう一つ増え、マーカは左に２本となる。さらに、カーソルキー１７ｆの［Ｖ］ボタン、または［∧］ボタンが押下されると、初期状態に戻ってチャンネル番号が代表番号に戻る。
【００５７】
このように本実施形態では、放送事業者ごとに代表チャンネルを決定する。代表チャンネルは例えば番号が最小のチャンネルとして定義するか、最後に選択されたチャンネル、デフォルトで定義されたチャンネル、または事業者ごとに定義されたチャンネルのうち如何なる基準によっても決めることができる。このように一つの代表チャンネルを決めることにより、ＥＰＧ表示画面において、放送事業者ごとに一つのチャンネル表示領域を割り当てるようにすることができる。従ってより多くの放送事業者の表示エリアを確保でき、数多くの事業者を表示して一覧性の高い番組表を表示することが可能になる。さらに、隠されたチャンネルが有ることをマーカによりユーザに示すようにすることで、ユーザインタフェースを向上させることができる。これらのことから、一覧性の高い番組表を表示することができ、ユーザにとっての取り扱いを便利にするようにした番組表表示装置および番組表表示方法を提供することが可能になる。
【００５８】
なお本発明は上記実施の形態に限定されるものではない。例えば図４のフローチャートに代えて、図８のフローチャートを適用することもできる。図８においてはステップＳ５，Ｓ３，Ｓ６のループにおいて、各事業者ごとに表示モードを判定するようにしている。これは、全チャンネル表示モード、および代表チャンネル表示モードのいずれかが、放送事業者ごとに予め設定されている場合に有効である。これはシステム的な設定でも良いし、ユーザが予め登録しておくかたちでも良い。このようにすると、メディアシームレスなシステムを提供できる。
【００５９】
さらに本発明は、実施段階ではその要旨を逸脱しない範囲で構成要素を変形して具体化できる。また上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００６０】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置が電子番組表を表示する動作を説明するために示すフローチャート。
【図５】同実施の形態における全チャンネル表示モードにおける表示画面を示す図。
【図６】同実施の形態における代表チャンネル表示モードにおける表示画面を示す図。
【図７】ユーザのリモートコントローラ１７の操作による画面の遷移を示す模式図。
【図８】本発明の実施の形態におけるデジタルテレビジョン放送受信装置が電子番組表を表示する動作の他の例を説明するために示すフローチャート。
【符号の説明】
【００６１】
Ａ〜Ｆ…表示欄、Ａ１〜Ｆ１…チャンネル番号表示領域、Ａ２〜Ｆ２…放送局名表示領域、Ａ３〜Ｆ３…番組表示領域、Ｄ〜Ｆ…表示欄、Ｄ２〜Ｆ２…放送局名表示領域、Ｄ３〜Ｆ３…番組表示領域、Ｇ…選択番組表示領域、Ｎ１〜Ｎ５…時間領域、Ｋ１〜Ｋ４…番組、１１…デジタルテレビジョン放送受信装置、１２…キャビネット、１３…支持台、１４…映像表示器、１５…スピーカ、１６…操作部、１７…リモートコントローラ、１７ａ…電源キー、１７ｂ…入力切換キー、１７ｃ…ダイレクト選局キー、１７ｄ…ダイレクト選局キー、１７ｅ…クイックキー、１７ｆ…カーソルキー、１７ｇ…決定キー、１７ｈ…番組表キー、１７ｉ…ページ切換キー、１７ｊ…faceネットキー、１７ｋ…戻るキー、１７ｌ…終了キー、１７ｍ…カラーキー、１７ｎ…チャンネルアップダウンキー、１７ｏ…音量調整キー、１７ｐ…メニューキー、１７ｉ…ページ切換キー、１８…受光部、１９…第１のメモリカード、２０…第２のメモリカード、２１…第１のＬＡＮ端子、２２…第２のＬＡＮ端子、２３…ＵＳＢ端子、２４…端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…チューナ、５３…アナログ復調器、５４…グラフィック処理部、５５…音声処理部、５６ａ〜５６ｄ…入力端子、５７…ＯＳＤ信号生成部、５８…映像処理部、５９…出力端子、６０…出力端子、６１…制御部、６２…ＲＯＭ、６３…ＲＡＭ、６４…不揮発性メモリ、６６…カードホルダ、６８…カードホルダ
【図１】
2006094409.tif 000003
【図２】
2006094409.tif 000004
【図３】
2006094409.tif 000005
【図４】
2006094409.tif 000006
【図５】
2006094409.tif 000007
【図６】
2006094409.tif 000008
【図７】
2006094409.tif 000009
【図８】
2006094409.tif 000010